(57)【要約】【課題】導体板における、スロットの中点の近傍の領域と基板との間で、寄生容量が生じ易かった。【解決手段】（１）矩形のスロットが規定されている導体板であって、前記スロットの長手方向に沿った、前記導体板の一対の辺である第１の辺及び第２の辺について、当該第１の辺上の任意の点である第１の点と、前記第２の辺上における前記第１の点に対応する第２の点との間の距離が、当該第１、第２の点が当前記スロットの第１、第２の長辺における中点に近いほどより短い前記導体板と、（２）前記導体板を載置するための基板と、（３）前記導体板及び前記基板間に設けられている絶縁層と、（４）前記スロットの第１、第２の長辺の前記中点間に設けられている共振用キャパシタと、（５）前記第１、第２の長辺間に設けられている、給電点として機能する第１、第２の接続点と、を含む。【選択図】  図１
2009188860.tif 000002
【特許請求の範囲】
【請求項１】
（１）矩形のスロットが規定されている導体板であって、前記スロットの長手方向に沿った、前記導体板の一対の辺である第１の辺及び第２の辺について、当該第１の辺上の任意の点である第１の点と、前記第２の辺上における前記第１の点に対応する第２の点との間の距離が、当該第１、第２の点が前記スロットの第１、第２の長辺における中点に近いほどより短い前記導体板と、
（２）前記導体板を載置するための基板と、
（３）前記導体板及び前記基板間に設けられている絶縁層と、
（４）前記スロットの第１、第２の長辺の前記中点間に設けられている共振用キャパシタと、
（５）前記第１、第２の長辺間に設けられている、給電点として機能する第１、第２の接続点と、を含むことを特徴とするスロットアンテナ。
【請求項２】
前記導体板の前記第１、第２の辺は、凹湾曲状であることを特徴とする請求項１記載のスロットアンテナ。
【請求項３】
前記導体板の前記第１、第２の辺は、スロープ状であることを特徴とする請求項１記載のスロットアンテナ。
【請求項４】
前記導体板の前記第１、第２の辺は、凹状であることを特徴とする請求項１記載のスロットアンテナ。
【請求項５】
前記導体板における、前記スロットの前記中点の近傍に、貫通孔が規定されていることを特徴とする請求項１記載のスロットアンテナ。
【請求項６】
請求項１記載のスロットアンテナを含むことを特徴とする無線装置。
【請求項７】
請求項６記載の無線装置を含むことを特徴とする電子機器。
【発明の詳細な説明】
【技術分野】
【０００１】
本発明は、スロットアンテナ、無線装置、及び電子機器に関し、詳しくは、キーレスエントリーシステム及び携帯電話のような無線通信を行う電子機器、当該電子機器が備える、前記無線通信の機能を有する無線装置、及び、当該無線装置が備える、前記無線通信のための電波を送受するスロットアンテナに関する。
【背景技術】
【０００２】
図６（Ａ）に図示された、下記の特許文献１〜特許文献４に記載されたと同様なスロットアンテナＳＡ１０は、外部から受信する電波Ｍに重畳されている信号Ｓを復調回路ＤＥＭに出力すべく、矩形状のスロット（スリット）ＳＬを有する。さらに、当該スリットＳＬには、長辺の中点ＣＰａ、ＣＰｂ間に共振用キャパシタＣが接続されており、また、当該長辺のそれぞれに、前記復調回路ＤＥＭへの給電点として機能する接続点ＦＤａ、ＦＤｂが設けられている。
【０００３】
【特許文献１】特開２００５−２２２２７７号公報
【特許文献２】特開２００５−２３６６７２号公報
【特許文献３】特開２００４−２７４３８１号公報
【特許文献４】特開平６−３３８８１９号公報
【発明の開示】
【発明が解決しようとする課題】
【０００４】
しかしながら、上記した従来のスロットアンテナＳＡ１０では、前記導体板ＣＮが、図６（Ｂ）に示されるように、基板ＳＢの上方に、極めて薄い絶縁層ＤＥを隔てて設けられており、加えて、スロットアンテナＳＡ１０の元来の性質上、当該スロットアンテナＳＡ１０の中点ＣＰａ、ＣＰｂ近傍の領域でのインピーダンスが、近傍以外の領域でのインピーダンスに比して高い。これにより、図６（Ｂ）中で二点鎖線により示されるように、導体板ＣＮにおける、スロットＳＬの中点ＣＰａ、ＣＰｂの近傍の領域と、基板ＳＢとの間で、寄生容量ｃｐが生じ、その結果、図７に示されるように、スロットアンテナＳＡ１０の周波数選択性を示すＱ値が、本来的にあるべきＱ値Ｑ（Ａ）ではなく、Ｑ値Ｑ（Ｂ）のようになまってしまうという問題があった。
【課題を解決するための手段】
【０００５】
本発明は、上記した課題を解決すべく、以下の適用例により実現される。
【０００６】
［適用例１］
適用例１のスロットアンテナは、
（１）矩形のスロットが規定されている導体板であって、前記スロットの長手方向に沿った、前記導体板の一対の辺である第１の辺及び第２の辺について、当該第１の辺上の任意の点である第１の点と、前記第２の辺上における前記第１の点に対応する第２の点との間の距離が、当該第１、第２の点が前記スロットの第１、第２の長辺における中点に近いほどより短い前記導体板と、
（２）前記導体板を載置するための基板と、
（３）前記導体板及び前記基板間に設けられている絶縁層と、
（４）前記スロットの第１、第２の長辺の前記中点間に設けられている共振用キャパシタと、
（５）前記第１、第２の長辺間に設けられている、給電点として機能する第１、第２の接続点と、を含む。
【０００７】
適用例１のスロットアンテナによれば、導体板の前記第１、第２の辺が、当該第１、第２の辺上の前記第１の点及び前記第２の点間の距離が、当該第１、第２の点が前記スロットの第１、第２の長辺における前記中点に近いほどより短いことにより、換言すれば、くびれ状であることにより、前記導体板における、前記中点の近傍の領域で、前記基板との間で寄生容量が発生することを抑制することが可能となる。
【０００８】
［適用例２］
適用例２のスロットアンテナは、適用例１のスロットアンテナであって、
前記導体板の前記第１、第２の辺は、凹湾曲状である。
【０００９】
［適用例３］
適用例３のスロットアンテナは、適用例１のスロットアンテナであって、
前記導体板の前記第１、第２の辺は、スロープ状である。
【００１０】
［適用例４］
適用例４のスロットアンテナは、適用例１のスロットアンテナであって、
前記導体板の前記第１、第２の辺は、凹状である。
【００１１】
［適用例５］
適用例５のスロットアンテナは、適用例１のスロットアンテナであって、
前記導体板における、前記スロットの前記中点の近傍に、貫通孔が規定されている。
【００１２】
［適用例６］
適用例６の無線装置は、適用例１のスロットアンテナを含む
【００１３】
［適用例７］
適用例７の電子機器は、適用例６の無線装置を含む。
【発明を実施するための最良の形態】
【００１４】
実施例のスロットアンテナ、無線装置、及び電子機器について図面を参照して説明する。
【００１５】
《実施例》
図１は、実施例のスロットアンテナの構成を示す斜視図である。実施例のスロットアンテナＳＡ１では、図１に示されるように、接地電位にある半導体基板（シリコン基板）である基板ＳＢ上に絶縁層ＤＥを介して薄板（薄膜）状の導体板ＣＮが形成されている。当該導体板ＣＮの表面には、外部から電波Ｍを受信するためのアンテナ素子として機能する矩形状のスロット（スリット）ＳＬが形成されている。
【００１６】
導体板ＣＮ及び基板ＳＢ間で寄生容量ｃｐ（図６（Ｂ）に図示。）が発生することを低減すべく、即ち、寄生容量ｃｐの発生を困難にすべく、導体板ＣＮは、図１に示されるように、第１、第２の辺ＳＤａ、ＳＤｂがくびれており、同様に、基板ＳＢも長辺がくびれている。詳細については、後述する。
【００１７】
図２は、実施例のスロットアンテナ、当該スロットアンテナを有する無線装置（受信装置）、及び、当該無線装置を含む電子機器の構成を示す（但し、スロットアンテナＳＡ１については、形状をも示す。）
【００１８】
電子機器Ｅは、例えば、キーレスエントリーシステムや携帯電話であり、図２に示されるように、無線装置ＲＤを有し、当該無線装置ＲＤに加えて、操作部ＯＰと、表示部ＤＰと、制御部ＣＴと、処理部ＰＲと、記憶部ＳＴと、電源部ＰＳとを有する。
【００１９】
操作部ＯＰは、入力を行うための、例えば、キー及びボタンであり、表示部ＤＰは、例えば、文字及び画像を表示するための、液晶パネル及び有機ＥＬパネルであり、制御部ＣＴは、電子機器Ｅの全体動作の制御及び監視を行うべく、例えば、ＣＰＵからなり、処理部ＰＲは、例えば、特化された演算処理を行うべく、ＤＳＰからなり、記憶部ＳＴは、前記した操作部ＯＰ〜処理部ＰＲの動作に必要なデータ（例えば、入力された命令、表示すべき画像、制御・監視のためのデータ、及び、処理により得られた情報）を記憶するために用いられ、電源部ＰＳは、例えば、リチウム電池からなる。
【００２０】
無線装置ＲＤは、スロットアンテナＳＡ１と、当該スロットアンテナＳＡ１の後段に設けられ、前記スロットアンテナＳＡ１から、受信した電波Ｍに重畳されている信号Ｓを受ける復調回路ＤＥＭと、を有する。
【００２１】
スロットアンテナＳＡ１は、前記スロットＳＬに、一方の長辺の中点ＣＰａと、他方の長辺の中点ＣＰｂとの間に共振用キャパシタＣが設けられている。スロットアンテナＳＡ１は、前記スロットＳＬ（インダクタ）及び前記共振用キャパシタＣにより、前記電波Ｍの周波数と共振するＬＣ共振回路を構成しており、これにより、当該電波Ｍを受信する。
【００２２】
スロットアンテナＳＡ１は、また、前記スロットＳＬの前記両長辺に、前記復調回路ＤＥＭへの給電点として機能する、一対の接続点ＦＤａ、ＦＤｂが設けられている。
【００２３】
スロットアンテナＳＡ１では、さらに、導体板ＣＮの、前記スロットＳＬの長手方向に沿った、第１の辺ＳＤａ及び第２の辺ＳＤｂは、当該第１の辺ＳＤａ上の任意の点である第１の点Ｐａと、前記第２の辺ＳＤｂ上における前記第１の点Ｐａに対応する第２の点Ｐｂとの間の距離ｄが、当該第１、第２の点Ｐａ、Ｐｂが前記スロットＳＬの中点ＣＰａ、ＣＰｂに近いほどより短い（例えば、距離ｄ２は、距離ｄ１より短い）という、くびれ状であり、換言すれば、凹湾曲状にある。
【００２４】
基板ＳＢの、前記スロットＳＬの長手方向に沿った側面（側面ＳＤＢのみ図１に図示。）もまた、上記した導体板ＣＮの第１、第２の辺ＳＤａ、ＳＤｂと同様に、くびれており、すなわち、凹湾曲状にある。
【００２５】
上述したように、実施例のスロットアンテナＳＡ１では、導体板ＣＮの第１、第２の辺ＳＤａ、ＳＤｂが、くびれ状であることから、寄生容量ｃｐ（図６（Ｂ）に図示。）が発生し得る、導体板ＣＮの面積が、スロットＳＬの中点ＣＰａ、ＣＰｂに近いほど小さい。これにより、スロットアンテナＳＡ１が、本来的に、スロットＳＬの中点ＣＰａ、ＣＰｂに近いほどインピーダンスが大きく（即ち、寄生容量ｃｐがより発生し易い）という性質を有しているにも拘わらず、導体板ＣＮの、スロットＳＬの中点ＣＰａ、ＣＰｂの近傍の領域で、基板ＳＢとの間で寄生容量ｃｐが発生することを抑制することが可能となる。この結果、本来、図７に図示されているように、Ｑ値Ｑ（Ａ）であるべきＱ値が、Ｑ値Ｑ（Ｂ）のようになまるという傾向を低減することが可能となる。
【００２６】
《変形例１》
図３は、変形例１のスロットアンテナの構成を示す。変形例１のスロットアンテナＳＡ２は、実施例のスロットアンテナＳＡ１と比較して、基本的に、導体板ＣＮ（図１に図示。）の第１、第２の辺ＳＤａ、ＳＤｂの形状のみが異なる。変形例１の第１、第２の辺ＳＤａ、ＳＤｂは、図３に示されるように、スロープ状に形成されている。より正確には、第１、第２の辺ＳＤａ、ＳＤｂは、スロットＳＬの中点ＣＰａ、ＣＰｂに向けて収束（下降）するスロープ状に形成されている。これにより、導体板ＣＮにおける、スロットＳＬの中点ＣＰａ、ＣＰｂの近傍の領域の面積が、当該第１、第２の辺ＳＤａ、ＳＤｂがスロープ状でないときに比して小さくなることから、上記した実施例と同様に、スロットＳＬの中点ＣＰａ、ＣＰｂの近傍の領域と、基板ＳＢとの間で寄生容量ｃｐが発生することを抑制することが可能となる。
【００２７】
《変形例２》
図４は、変形例２のスロットアンテナの構成を示す。変形例２のスロットアンテナＳＡ３は、実施例のスロットアンテナＳＡ２と比較して、基本的に、導体板ＣＮ（図１に図示。）の第１、第２の辺ＳＤａ、ＳＤｂの形状のみが異なる。変形例２の第１、第２の辺ＳＤａ、ＳＤｂは、図４に示されるように、凹状に形成されている。より正確には、第１、第２の辺ＳＤａ、ＳＤｂは、スロットＳＬの中点ＣＰａ、ＣＰｂの近傍で凹状になっており、換言すれば、溝部ＲＣａ、ＲＣｂが規定されている。これにより、導体板ＣＮにおける、スロットＳＬの中点ＣＰａ、ＣＰｂの近傍の領域の面積が、当該第１、第２の辺ＳＤａ、ＳＤｂが凹状状でないときに比して小さくなることから、上記した実施例と同様に、スロットＳＬの中点ＣＰａ、ＣＰｂの近傍の領域と、基板ＳＢとの間で寄生容量ｃｐが発生することを抑制することが可能となる。
【００２８】
《変形例３》
図５は、変形例３のスロットアンテナの構成を示す。変形例３のスロットアンテナＳＡ４は、実施例のスロットアンテナＳＡ１と比較して、孔Ｈａ１、Ｈａ２、Ｈａ３、Ｈｂ１、Ｈｂ２、Ｈｂ３のみが異なる。孔Ｈａ１〜Ｈｂ３は、導体板ＣＮ（図１に図示。）における、スロットＳＬの中点ＣＰａ、ＣＰｂの近傍に設けられており、また、導体板ＣＮを貫通している。これにより、導体板ＣＮにおける、スロットＳＬの中点ＣＰａ、ＣＰｂの近傍の領域の面積が、当該孔Ｈａ１〜Ｈｂ３が無いときに比して小さくなることから、上記した実施例と同様に、スロットＳＬの中点ＣＰａ、ＣＰｂの近傍の領域と、基板ＳＢとの間で寄生容量ｃｐが発生することを抑制することが可能となる。
【００２９】
《他の変形例》
上記した復調回路ＤＥＭに代えて変調装置（図示せず。）を用いることにより、スロットアンテナＳＡ１〜ＳＡ４を、電波Ｍを送信させるための送信用アンテナとして機能させることができ、加えて、無線装置ＲＤを送信装置として機能させることが可能となる。
【図面の簡単な説明】
【００３０】
【図１】実施例のスロットアンテナの構成を示す斜視図。
【図２】実施例のスロットアンテナ、無線装置、及び、電子機器の構成を示す図。
【図３】変形例１のスロットアンテナの構成を示す図。
【図４】変形例２のスロットアンテナの構成を示す図。
【図５】変形例３のスロットアンテナの構成を示す図。
【図６】従来のスロットアンテナの構成を示す図。
【図７】従来のスロットアンテナのＱ値を示す図。
【符号の説明】
【００３１】
Ｅ…電子機器、ＲＤ…無線装置、ＳＡ１…スロットアンテナ、ＳＬ…スロット、ＦＤａ…第１の接続点、ＦＤｂ…第２の接続点、ＣＰａ，ＣＰｂ…中点、ＤＥＭ…復調回路。
【図１】
2009188860.tif 000003
【図２】
2009188860.tif 000004
【図３】
2009188860.tif 000005
【図４】
2009188860.tif 000006
【図５】
2009188860.tif 000007
【図６】
2009188860.tif 000008
【図７】
2009188860.tif 000009